(57)【要約】【課題】  搭載比率が高まる聴覚情報提供手段を用いて最適な警報を発することにより、警報情報の聞き逃しや警報情報が耳障りに感じるといった利用者にとっての不快感を与えることのない車両情報提供装置を提供する。【解決手段】  車両用情報提供装置に関し、車両情報端子２１２または多重通信入出力手段２１３の少なくとも一方を介して前記車両の情報を入力し、前記情報の内の少なくとも警報内容を効果音と音声とを少なくとも組み合わせてなる警告聴覚情報として生成し、前記警告聴覚情報に基づいて聴覚情報提供手段２４０を動作させるとともに、前記警告聴覚情報を車両の利用者がおかれているシーン毎に変化させるべく聴覚情報提供手段２４０を動作させる制御手段２０２を備える。【選択図】  図２
2008056238.tif 000002
【特許請求の範囲】
【請求項１】
車両の各種状態を聴覚的に報知する聴覚情報提供手段を備えた車両用情報提供装置であって、
車両情報端子または多重通信入出力手段の少なくとも一方を介して前記車両の情報を入力し、前記情報の内の少なくとも警報内容に関して、車両の利用者がおかれているシーンに応じた効果音を繰り返し発するとともに、前記シーンに応じた音声を前記効果音にミキシングするように前記聴覚情報提供手段を制御する制御手段を備えてなることを特徴とする車両用情報提供装置。
【請求項２】
前記制御手段は、前記音声を前記効果音にミキシングするとき、前記効果音の音圧を少なくともミキシングの前あるいはミキシングの後の音圧に比べて小さくすることを特徴とする請求項１に記載の車両用情報提供装置。
【請求項３】
前記制御手段は、音声を発する回数、前記効果音と前記音声を発する順序、前記効果音の音色の少なくとも１つを前記シーンに応じて変化させることを特徴とする請求項１に記載の車両用情報提供装置。
【請求項４】
前記聴覚情報提供手段の各種設定を登録するためのカスタマイズモードを前記制御手段に有するとともに、前記カスタマイズモードにおける前記各種設定の内容を定めるための入力手段と、前記各種設定の内容を登録するための記憶手段と、を備え、前記制御手段は、前記カスタマイズモードのとき、前記シーン毎の音声を発する回数を登録することを特徴とする請求項１に記載の車両用情報提供装置。
【請求項５】
前記制御手段は、前記車両の状態に関する表示を行う各種アナログ式計器を制御することを特徴とする請求項１に記載の車両用情報提供装置。
【発明の詳細な説明】
【技術分野】
【０００１】
本発明は、車両用情報提供装置に関し、特に聴覚情報提供手段を備え、前記聴覚情報提供手段からの聴覚情報を報知することで車両の利用者へ各種警報を行うことが可能な車両情報提供装置に関するものである。
【背景技術】
【０００２】
車両用情報提供装置としては、例えば特許文献１に開示されるものである。かかる車両用情報提供装置は、音声合成装置を用いて各種状態に応じたメッセージを生成し、このメッセージをスピーカを介して音声出力するとともに、音声出力を停止させるスイッチが操作されるまでの間は音声による警報出力を繰り返し発するようにしたものである。
【特許文献１】実公平２−３３６５０号公報
【発明の開示】
【発明が解決しようとする課題】
【０００３】
かかる特許文献１に開示される車両用情報提供装置は、音声出力を繰り返し発することにより、利用者の聞きのがしを防ぐとともに、音声出力を停止するスイッチを操作することにより、利用者が前記音声出力を耳障りと感じることを防いでいる。しかしながら、かかる車両用情報提供装置は、音声出力を停止するために利用者によるスイッチ操作が必要となることから、使い勝手及び商品性の点で改善の余地があった。
【０００４】
本発明は、前述した問題点に着目し、車両の各種状態を聴覚的に報知する聴覚情報提供手段を備えた車両用情報提供装置において、今後、搭載比率が高まる前記聴覚情報提供手段を用いて最適な警報を発することにより、利用者がスイッチ操作をする必要がなく、また警報情報の聞き逃しや警報情報が耳障りに感じるといった利用者にとっての不快感を与えることのない車両情報提供装置を提供することを目的し、さらに従来の画一的な聴覚情報の提供ではなく、利用者に親切な情報提供を実現することが可能な車両用情報提供装置を提供することも目的とする。
【課題を解決するための手段】
【０００５】
本発明は、請求項１に記載したように、車両の各種状態を聴覚的に報知する聴覚情報提供手段を備えた車両用情報提供装置であって、車両情報端子または多重通信入出力手段の少なくとも一方を介して前記車両の情報を入力し、前記情報の内の少なくとも警報内容に関して、車両の利用者がおかれているシーンに応じた効果音を繰り返し発するとともに、前記シーンに応じた音声を前記効果音にミキシングするように前記聴覚情報提供手段を制御する制御手段を備えてなるものである。
【０００６】
また、本発明は、請求項２に記載したように、前記制御手段は、前記音声を前記効果音にミキシングするとき、前記効果音の音圧を少なくともミキシングの前あるいはミキシングの後の音圧に比べて小さくするものである。
【０００７】
また、本発明は、請求項３に記載したように、前記制御手段は、音声を発する回数、前記効果音と前記音声を発する順序、前記効果音の音色の少なくとも１つを前記シーンに応じて変化させるものである。
【０００８】
また、本発明は、請求項４に記載したように、前記聴覚情報提供手段の各種設定を登録するためのカスタマイズモードを前記制御手段に有するとともに、前記カスタマイズモードにおける前記各種設定の内容を定めるための入力手段と、前記各種設定の内容を登録するための記憶手段と、を備え、前記制御手段は、前記カスタマイズモードのとき、前記シーン毎の音声を発する回数を登録するものである。
【０００９】
また、本発明は、請求項５に記載したように、前記制御手段は、前記車両の状態に関する表示を行う各種アナログ式計器を制御するものである。
【発明の効果】
【００１０】
本発明は、車両の各種状態を聴覚的に報知する聴覚情報提供手段を備えた車両用情報提供装置において、シーン毎に効果音と音声とを少なくとも組み合わせてなる最適な警告聴覚情報を発するので、利用者にとって一層分かりやすく、また親切な警報となり、ＨＭＩ（ヒューマン・マシン・インターフェース）の向上を図ることができる。更に各種設定内容を利用者毎にカスタマイズすることが可能となるため、利用者の好みに応じた各種設定が可能となり、利便性の向上を図ることができる。
【発明を実施するための最良の形態】
【００１１】
以下、添付図面に基づいて本発明の実施形態について説明する。
【００１２】
図１は、車両用情報提供装置の一例の概観図を示す。車両用情報提供装置１００は、各種情報表示を行う視覚情報提供手段である表示部１０１（例えば、ＴＦＴ等の液晶表示装置（ＬＣＤ）を用いる）と、回転計１０２と、燃料計１０３と、温度計１０４とから主に構成されている。
【００１３】
図２は、図１の車両用情報提供装置１００のブロック図である。その構成としては、車両用情報提供装置１００をカスタマイズモードに移行させるためのカスタマイズモード設定手段（端子）２１０、前記カスタマイズモードの実行において各種設定内容を設定するための入力手段２１１、車両情報の入出力を行う車両情報端子２１２及び多重通信入出力端子（多重通信入出力手段）２１３、車両インターフェース（Ｉ／Ｆ）手段２０１、車両用情報提供装置１００の制御を行う制御手段２０２、制御手段２０２の処理プログラムが格納されたＲＯＭ等からなる第１の記憶手段２０３、入力手段２１１より設定される各種設定を利用者毎に登録可能とするＥＥＰＲＯＭ等の不揮発性メモリからなる第２の記憶手段２０４、各種情報を視覚的に表示するための表示部１０１、表示部１０１の表示制御及び各種アナログ式（指針式）計器１０２，１０３，１０４の駆動制御を兼ねた駆動手段２０５、各種情報を聴覚的に報知するための聴覚情報提供手段２４０を有している。本実施形態における聴覚情報提供手段２４０は、音／音声を再生する音／音声合成手段（ミキシング機能付き）２４１，アンプ２４２，出力端子２４３，オーディオ２２３及びスピーカ２２４から構成されるものとする。
【００１４】
車両用情報提供装置１００は、利用者識別手段であるキーレスエントリ装置２２０（送信機２２１及び受信機２２２）と、オーディオ２２３と、オートクルーズ走行、レーンキープ走行等の自動運転制御を行う走行制御装置２２５と、走行制御装置２２５の操作スイッチからなる操作手段２２６とが多重通信線２３０を介して接続されている。尚、制御手段２０２は、多重通信入出力端子２１３及び多重通信線２３０を介してオーディオ２２３へ音量のミュート指示を行う指示信号を出力することが可能である。
【００１５】
次に、車両用情報提供装置１００の警報情報の入力時の動作について説明する。制御手段２０２は、車両情報の入出力を行う車両情報端子２１２及び多重通信入出力端子２１３から車両に関する情報を入手し、この情報に基づいて利用者に警告すべき情報、即ち警告情報の発生条件があるか否かを判断するとともに、利用者がおかれているシーンを特定する。制御手段２０２は、警告聴覚情報の発生条件であると判定すると、効果音と音声とを少なくとも組み合わせてなる警告聴覚情報（効果音と音声とによる聴覚信号）を生成し、特定されたシーンに応じた前記警告聴覚情報によって聴覚情報提供手段２４０を動作させるとともに、前記警告聴覚情報に関係する表示形態を表示部１０１によって表示する。本実施形態では、オーディオ２２３用のスピーカ２２４を兼用したが、聴覚情報提供手段２４０に専用のスピーカを設けるようにしても良い。
【００１６】
図３（ａ），（ｂ）は、車両のエンジン状態と、利用者の降車動作の状態と、車両のライトの点灯の状態との少なくとも２つの組み合わせによる警告聴覚情報を示す例であり、具体的に言うと、車両情報端子２１２または多重通信入出力手段２１３の少なくとも一方から制御手段２０２に対して、イグニッションスイッチがＯＦＦされていることを示す信号（車両のエンジン状態）と、ドア開閉スイッチにおけるドアが開いていることを示す信号（利用者の降車動作の状態）と、前記イグニッションスイッチが抜かれていないことを示す信号（利用者の降車動作の状態）とが入力され、制御手段２０２によってキー抜き忘れ状態（利用者が降車動作の状態にありながらキーが抜き忘れられている状態）である第１のシーンを特定した場合の警報聴覚情報（図３（ａ））と、車両情報端子２１２または多重通信入出力手段２１３の少なくとも一方から制御手段２０２に対して、イグニッションスイッチがＯＦＦされていることを示す信号と、車両ライトスイッチがＯＮであることを示す信号（車両のライトの点灯の状態）とが入力され、制御手段２０２によって利用者によるライト消し忘れ状態である第２のシーンを特定した場合の警報聴覚情報（図３（ｂ））とを説明する具体例である。
【００１７】
図３（ａ）は、前記第１のシーンにおける警告聴覚情報を示すものである。制御手段２０２は、Ｔ１時で前記第１のシーン（キー抜き忘れ状態）であると特定すると、まず効果音Ｓ１「ポーン」を発するように聴覚情報提供手段２４０を制御する。次に制御手段２０２は、Ｔ２時及びＴ３時において、音声Ｖ１にて「キーが差し込まれています」を２回、繰り返して発するように聴覚情報提供手段２４０を制御する。尚、制御手段２０２は、Ｔ２，Ｔ３時において、音圧を小さくした効果音ｓ１（音圧を小さくしたポーン）を音声Ｖ１にミキシングする。次に制御手段２０２は、Ｔ４時以降、前記第１のシーン、即ちキー抜き忘れ状態が継続している間、効果音Ｓ１のみを繰り返し発するように聴覚情報提供手段２４０を制御する。
【００１８】
このように利用者が降車動作を行っているとき、Ｔ１時で効果音Ｓ１「ポーン」により注意を喚起し、その後、音声Ｖ１を２回発するため利用者の聞き逃しを防げるとともに、その後は効果音Ｓ１のみを継続して発するようにするため耳障りとなることがない。
【００１９】
また、音声Ｖ１を発するとき効果音ｓ１をミキシングするため、音声Ｖ１が効果音ｓ１の一定の間隔に同期して発せられ、音声Ｖ１にリズム感が生じ、降車動作中の利用者にとって一層、聞き取り易くなる。
【００２０】
図３（ｂ）は、前記第２のシーンにおける警告聴覚情報を示すものである。制御手段２０２は、Ｔ１時で前記第２のシーン（ライト消し忘れ状態）であると特定すると、前記第１のシーンと同様に効果音と音声との組み合わせで警報を発する。図３（ａ）との違いは、効果音Ｓ２及びミキシング時の効果音ｓ２の音色を「ポーン」から「ポンポーン」に変えていることと、音声Ｖ２にて「ライトが点灯しています」に変えていることである。前記第２のシーンは、前記第１のシーンに比べ効果音の音色を変えているため、利用者は効果音によっても両者の違いを容易に認識することが可能となる。
【００２１】
図４（ａ），（ｂ）は、車両のエンジン状態と、利用者の降車動作の状態と、前記車両の走行開始時の状態の少なくとも２つの状態の組み合わせによる警告聴覚情報を示す例であり、具体的に言うと、車両情報端子２１２または多重通信入出力手段２１３の少なくとも一方から制御手段２０２に対して、イグニッションスイッチがＯＮされていることを示す信号（車両のエンジン状態）と、利用者がシートベルトを装着していない場合に発せられるシートベルト非装着を示す信号（利用者の降車動作の状態）とが入力され、制御手段２０２によって車両のエンジン始動時においてシートベルトが非装着の状態である第３のシーンを特定した場合の警告聴覚情報（図４（ａ））と、車両情報端子２１２または多重通信入出力手段２１３の少なくとも一方から制御手段２０２に対してイグニッションスイッチがＯＮされていることを示す信号と、ＡＴシフトポジションがリバースレンジに入れられたことを示す信号（前記車両の走行開始時の状態）とが入力され、制御手段２０２によって車両のリバース状態である第４のシーンを特定した場合の警報聴覚情報（図４（ｂ））とを説明する具体例である。
【００２２】
図４（ａ）は、前記第３のシーンにおける警告聴覚情報を示すものである。制御手段２０２は、Ｔ１０時で前記第３のシーン（シートベルトが非装着の状態）であると特定すると、まず効果音Ｓ２「ポンポーン」を発するように聴覚情報提供手段２４０を制御する。次に制御手段２０２は、Ｔ１１時で音声Ｖ３「シートベルトを着用してください」を発するように聴覚情報提供手段２４０を制御する。そして、制御手段２０２は、Ｔ１２時以降、前記第３のシーン、即ちシートベルトの非装着警報の発生条件が継続している間、効果音Ｓ２のみを繰り返し発するように聴覚情報提供手段２４０を制御する。
【００２３】
このように利用者がエンジンを始動したとき、Ｔ１０時の効果音Ｓ３により注意を喚起し、その後、音声Ｖ３を1回のみ発する。このとき利用者は運転席に座っているのが一般であるため、音声Ｖ３が1回でも利用者が聞き逃すことはなく、利用者は、せかされることなく落ち着いた感じ受けることになる。その後は効果音Ｓ２のみを連続して発するため耳障りとなることがない。
【００２４】
図４（ｂ）は、前記第４のシーンにおける警告聴覚情報を示すものである。制御手段２０２は、Ｔ１０時で前記第４のシーン（車両のリバース状態）であると特定すると、前記第３のシーンでの警告聴覚情報と同様に効果音と音声との組み合わせで警報を発する。制御手段２０２は、Ｔ１０時で前記第３のシーンであると判断すると、まず音声Ｖ４「バックします）」を発するように聴覚情報提供手段２４０を制御する。次に制御手段２０２は、Ｔ１０時以降、前記第３のシーン、即ちリバース警報の発生条件が継続している間（車両のリバースレンジが解除されるまでの間）、効果音Ｓ４「キーンコーン」を発するように聴覚情報提供手段２４０を制御する。
【００２５】
前述の第４のシーンのように、利用者の操作を伴うときは、まず音声Ｖ４で答える、所謂アンサーバック機能で応答し、その後に効果音Ｓ４のみを継続して発するように聴覚情報提供手段２４０を制御することから、利用者は警告内容を聞き逃すことはない。また音声Ｖ４を発した後は、効果音Ｓ４のみを継続して発するよう聴覚情報提供手段２４０を制御することから、利用者にとって耳障りとなることがなく、利用者に違和感を与えることが無くなる。
【００２６】
図５（ａ），（ｂ）は、車両のエンジン状態と、車両の走行開始時の状態と、利用者の降車動作の状態との少なくとも２つの組み合わせによる警告聴覚情報を示す例であり、具体的に言うと、車両情報端子２１２または多重通信入出力手段２１３の少なくとも一方から制御手段２０２に対して、イグニッションスイッチがＯＮされていることを示す信号と、車両が所定速度以上に到達したことを示す信号（車両の走行開始時の状態）と、車両のサイドブレーキが引かれていることを示す信号（車両の走行開始時の状態）とが入力され、制御手段２０２によってパーキングブレーキ未解除状態である第５のシーンを特定した場合の警報聴覚情報（図５（ａ））と、車両情報端子２１２または多重通信入出力手段２１３の少なくとも一方から制御手段２０２に対して、イグニッションスイッチがＯＮされていることを示す信号と、ドア開閉スイッチにおけるドアが開いていることを示す信号（利用者の降車動作の状態）とが入力され、制御手段２０２によってドア開放状態である第６のシーンを特定した場合の警報聴覚情報（図５（ｂ））とを説明する具体例である。
【００２７】
図５（ａ）は、前記第５のシーンにおける警告聴覚情報を示すものである。制御手段２０２は、Ｔ２０時で前記第５のシーン（パーキングブレーキ未解除状態）であると特定すると、効果音Ｓ５「ピーピー」を発するように聴覚情報提供手段２４０を制御する。次に制御手段２０２は、Ｔ２１時で音声Ｖ５「パーキングブレーキを解除してください」を発するように聴覚情報提供手段２４０を制御する。次に制御手段２０２は、Ｔ２１時以降、前記第５のシーン（パーキングブレーキ未解除状態）の発生条件が継続している間、効果音Ｓ５を発するように聴覚情報提供手段２４０を制御する。
【００２８】
このように利用者が車両の走行を開始したとき、効果音の音色を「ピーピー」に変えることにより、利用者は、せかされることなく落ち着いた感じ受けることになる。尚、効果音Ｓ５「ピーピー」は、利用者の加齢等による聴覚特性の変化へ対応可能な１〜２ＫＨｚの周波数帯を利用する。
【００２９】
図５（ｂ）は、前記第６のシーンにおけるドア開放状態を示すものである。制御手段２０２は、Ｔ２０時で前記第６のシーン（ドア開放状態）であると特定すると、図５（ａ）と同様に効果音と音声との組み合わせで警報を発する。図５（ａ）との違いは、音声Ｖ５を音声Ｖ６「ドアが開いています」に変えていることである。尚、図５（ａ），（ｂ）で同一の効果音Ｓ５を用いたが、周波数を数百Ｈｚ変えると、利用者が効果音の違いからも両者を認識することができるようになる。
【００３０】
図６（ａ），（ｂ）は、車両のエンジン状態と、車両の走行中の状態との２つの状態の組み合わせによる警告聴覚情報を示す例であり、具体的に言うと、車両情報端子２１２または多重通信入出力手段２１３の少なくとも一方から制御手段２０２に対して、イグニッションスイッチがＯＮされていることを示す信号と、車両が所定速度以上で走行していることを示す信号（車両の走行中の状態）と、車両がオートクルーズ走行に移行していることを示す信号（車両の走行中の状態）と、先行車両が所定の距離よりも近接したことを示す信号（車両の走行中の状態）とが入力され、制御手段２０２によってオートクルーズ走行の近接状態である第７のシーンを特定した場合の警告聴覚情報（図６（ａ））と、車両情報端子２１２または多重通信入出力手段２１３の少なくとも一方から制御手段２０２に対して、イグニッションスイッチがＯＮされていることを示す信号と、車両が所定速度以上で走行していることを示す信号と、車両がオートクルーズ走行に移行していることを示す信号と、車線を検知したことを示す信号（車両の走行中の状態）と、車線を逸脱したことを示す信号（車両の走行中の状態）とが入力され、制御手段２０２によって車線逸脱状態である第８のシーンを特定した場合の警告聴覚情報（図６（ｂ））とを説明する具体例である。尚、オートクルーズ走行情報や先行車両の近接情報、あるいは車線逸脱情報等は、多重通信線２３０を介して接続される走行制御装置２２５から車両用情報提供装置１００へ入力されることになる。
【００３１】
図６（ａ）は、前記第７のシーンにおける警告聴覚情報を示すものである。制御手段２０２は、Ｔ３０時で前記第７のシーン（オートクルーズ走行の近接状態）であると特定すると、まず効果音Ｓ６「ピッピッピッ」を発するように聴覚情報提供手段２４０を制御する。次に制御手段２０２は、Ｔ３１時で音声Ｖ７「先行車に近接しています、ブレーキ操作をしてください」発するように聴覚情報提供手段２４０を制御する。
【００３２】
このように車両の走行中において、効果音の音色を「ピッピッピッ」に変えることにより、利用者に急を要する回避行動が必要な感じを与えることができる。また、効果音と音声とを1回のみ発することで、利用者への必要以上の緊張感を与えることを防いでいる。尚、効果音「ピッピッピッ」は、利用者の加齢等による聴覚特性の変化へ対応可能な１〜２ＫＨｚの周波数帯を利用する。
【００３３】
図６（ｂ）は、前記第８のシーン（車線逸脱状態）における警告聴覚情報を示すものである。制御手段２０２は、Ｔ３０時で前記第８のシーンであると特定すると、前記第７のシーンと同様に効果音と音声との組み合わせで警報を発する。前記第７のシーンとの違いは、音声Ｖ８「車線逸脱のおそれがあります、ハンドル操作をしてください」に変えていることである。尚、前記第７，第８のシーンにおける警告聴覚情報では、同一の効果音Ｓ６を用いたが、周波数を数百Ｈｚ変えると、利用者が効果音の違いからも両者におけるシーンの特定が認識可能となる。
【００３４】
次に、図７を用いて、制御手段２０２にけるカスタマイズ機能について説明する。車両の利用者は、カスタマイズモード設定手段２１０を外部より操作して制御手段２０２が予め持っているカスタマイズモード（機能）へ移行するように指示を与える。具体的には、通常電位がハイ・レベルにある端子をスイッチ等によりロー・レベルに変更することで行われる。制御手段２０２は、前記カスタマイズモードヘ移行すると、駆動手段２０５を介して表示部１０１を通常表示からカスタマイズ設定モード初期画面へ切り替える。ここで利用者は、入力手段２１１を介して警告聴覚情報の出力内容に関する各種設定内容を登録する。カスタマイズ設定は、車両の利用者毎に設定することができ、また利用者毎に第２の記憶手段２０４に設定内容が記憶される。そして利用者識別手段であるキーレスエントリ装置２２０からの識別情報に基づいて前記設定内容が自動的に読み出されることになる。
【００３５】
図７（ａ），（ｂ）は、聴覚情報提供手段２４０からの警告聴覚情報の出力項目の具体的なカスタマイズの内容を示すものでものである。図７（ａ）は、車両の利用者がおかれているシーン毎の各種設定を示す画面であり、具体的には効果音と音声との組み合わせで行うか、従来通りの効果音のみで行うかを選択することが可能な画面である。図中のアンダーラインは、初期設定の状態を示している。同様に、図７（ｂ）は、車両の利用者がおかれているシーン毎の音声で発する回数を選択することが可能な画面であり、具体的には予め定められている回数から音声で発する回数を定めたり、入力手段２１１により任意に設定された回数から音声を発する回数を定めることが可能な画面であり、図中のアンダーラインは、初期設定の状態を示している。このようにカスタマイズ機能を設けることにより、利用者毎の好みに合った警告聴覚情報の提供が可能となる。
【００３６】
尚、カスタマイズの設定内容については、前述した音声，効果音の選択や音声の再生回数だけでなく、前記効果音と前記音声の再生順序あるいは前記効果音の音色を設定することで、更に利用者毎の好みに合った警告聴覚情報の提供が可能となる。
【００３７】
かかる車両用情報提供装置１００は、車両情報端子２１２または多重通信入出力端子２１３の少なくとも一方を介して車両の各種情報を入力し、前記各種情報の内の少なくとも警報内容を効果音と音声とを少なくとも組み合わせてなる警告聴覚情報として生成し、前記警告聴覚情報に基づいて聴覚情報提供手段２４０を動作させるとともに、車両の利用者がおかれているシーン毎に前記警告聴覚情報を変化させてなる制御手段２０２を備えてなるものであり、また、制御手段２０２は、前記情報から入力される、前記車両のエンジン状態、前記車両の走行開始時の状態、前記車両の走行中の状態、前記車両のライトの点灯の状態、前記利用者の降車動作の状態の内の少なくとも２つの状態の組み合わせから各シーンを特定し、各シーン毎に前記警告聴覚情報を発するように聴覚情報提供手段２４０を制御してなるものである。
【００３８】
従って、シーン毎に効果音と音声とを少なくとも組み合わせてなる最適な警告聴覚情報を発するので、利用者にとって一層分かりやすく、また親切な警報を与えることが可能となり、ＨＭＩの向上を図ることができる。また、利用者にとって一層分かりやすい警告聴覚情報を与えることが可能となることから、従来のようにスイッチ操作を行う必要がなく、また警報情報の聞き逃しや警報情報が耳障りに感じるといった利用者にとっての不快感を与えることのない車両情報提供装置を提供することができる。
【００３９】
また、車両用情報提供装置１００は、制御手段２０２によって、音声の再生回数、効果音と音声の再生順序、効果音の音色の何れかを変化させることで、前記警告聴覚情報の報知パターンを変化させる処理動作を実行することで、利用者によって各警告聴覚情報の識別化を容易なものとすることができ、車両用情報提供装置１００としての利便性を向上させることができる。また、従来のような画一的な聴覚情報の提供ではなくなるため、利用者に親切な警告聴覚情報の提供（情報提供）を実現することができる。
【００４０】
また、車両用情報提供装置１００は、聴覚情報提供手段２４０の各種設定を登録するためのカスタマイズモードを制御手段２０２に有するとともに、カスタマイズモードにおける前記各種設定の内容を定めるための入力手段２１１と、前記各種設定の内容を登録するための第２の記憶手段２０４と、を備えてなるものであり、利用者毎の好みに合った警告聴覚情報の提供が可能となる。
【００４１】
尚、前述した実施形態では、制御手段２０２によって、車両のエンジン状態、車両の走行開始時の状態、車両の走行中の状態、車両のライトの点灯の状態、利用者の降車動作の状態の内の少なくとも２つの状態の組み合わせからシーンを特定するものであったが、請求項２に記載の本発明にあっては、車両のエンジン状態、車両の走行開始時の状態、車両の走行中の状態、車両のライトの点灯の状態、利用者の降車動作の状態の内の何れかの状態からシーンを特定するものであっても良い。例えば、シートベルトが装着されていることを示す信号と、ドア開閉スイッチにおけるドアが「閉」から「開」に移行したことを示す信号とを制御手段２０２が入力し、制御手段２０２によって音声出力「シートベルトを外してください」なる警告聴覚情報を発するような処理であり、利用者の降車動作の状態のみとなる前記各信号の組み合わせによって、利用者がおかれているシーンを特定することができる。
【産業上の利用可能性】
【００４２】
本発明は、聴覚情報提供手段を利用した車両用情報提供装置に関し、車両情報を提供する車両用表示装置のみならず、車両に搭載されるオーディオ装置やナビゲーション装置やマルチディスプレイ装置等の車両用情報提供装置にも適用可能である。
【図面の簡単な説明】
【００４３】
【図１】本発明の実施形態の車両用情報提供装置を示す概観図。
【図２】同上実施形態の車両用情報提供装置のブロック図。
【図３】同上実施形態の第１，第２のシーンによる各警告聴覚情報を説明する図。
【図４】同上実施形態の第３，第４のシーンによる各警告聴覚情報を説明する図。
【図５】同上実施形態の第５，第６のシーンによる各警告聴覚情報を説明する図。
【図６】同上実施形態の第７，第８のシーンによる各警告聴覚情報を説明する図。
【図７】同上実施形態の制御手段におけるカスタマイズ機能を説明する図。
【符号の説明】
【００４４】
１００  車両用情報提供装置
１０１  表示部（視覚情報提供手段）
２０２  制御手段
２０４  第２の記憶手段
２１０  設定手段
２１１  入力手段
２１２  車両情報端子
２１３  多重通信入出力端子（多重通信入出力手段）
２４０  聴覚情報提供手段
２４１  音／音声合成手段
２４２  アンプ
２４３  出力端子
２２３  オーディオ
２２４  スピーカ
２３０  多重通信線
【図１】
2008056238.tif 000003
【図２】
2008056238.tif 000004
【図３】
2008056238.tif 000005
【図４】
2008056238.tif 000006
【図５】
2008056238.tif 000007
【図６】
2008056238.tif 000008
【図７】
2008056238.tif 000009